(57)【要約】      （修正有）【課題】光コネクタを基板に対して２方向に浮動させずに、光コネクタ同士の２方向の相対位置ずれを緩和させる光コネクタシステムを提供する。【解決手段】光コネクタシステム１００は、第１フェルールを収容する第１ハウジング２０Ａを有し、第１基板１０Ａに取り付けられた第１光コネクタ３Ａと、第１フェルールに接続される第２フェルールを収容する第２ハウジング３Ｂを有し、第２基板１０Ｂに取り付けられ、着脱方向に沿って第１光コネクタ３Ａに対して着脱可能な第２光コネクタ３Ｂとを備える。第１基板１０Ａは、着脱方向に平行であるとともに、第１方向に平行であり、第２基板１０Ｂは、着脱方向に平行であるとともに、第１方向と交差する第２方向に平行である。第１ハウジング２０Ａは、第１基板１０Ｂに対して第１方向に移動可能に取り付けられており、第２ハウジング２０Ｂは、第２基板１０Ｂに対して第２方向に移動可能に取り付けられている。【選択図】図４
2017134311.tif 000002
【特許請求の範囲】
【請求項１】
第１フェルールを収容する第１ハウジングを有し、第１基板に取り付けられた第１光コネクタと、
前記第１フェルールに接続される第２フェルールを収容する第２ハウジングを有し、前記第１基板とは別の第２基板に取り付けられ、着脱方向に沿って前記第１光コネクタに対して着脱可能な第２光コネクタと
を備え、
前記第１基板は、前記着脱方向に平行であるとともに、第１方向に平行であり、
前記第２基板は、前記着脱方向に平行であるとともに、前記第１方向と交差する第２方向に平行であり、
前記第１ハウジングは、前記第１基板に対して前記第１方向に移動可能に取り付けられており、
前記第２ハウジングは、前記第２基板に対して前記第２方向に移動可能に取り付けられている
ことを特徴とする光コネクタシステム。
【請求項２】
請求項１に記載の光コネクタシステムであって、
円柱形状の第１案内部を有し、前記第１ハウジングを前記第１基板に取り付けるための第１取付部材と、
円柱形状の第２案内部を有し、前記第２ハウジングを前記第２基板に取り付けるための第２取付部材と
を備え、
前記第１ハウジングは、前記第１方向に長い第１長穴を有しており、
前記第２ハウジングは、前記第２方向に長い第２長穴を有しており、
前記第１案内部が前記第１長穴に挿通された状態で、前記第１取付部材が前記第１基板に固定されており、
前記第２案内部が前記第２長穴に挿通された状態で、前記第２取付部材が前記第２基板に固定されている
ことを特徴とする光コネクタシステム。
【請求項３】
請求項２に記載の光コネクタシステムであって、
前記第１取付部材は、頭部とネジ部とを有しており、
前記第２取付部材は、頭部とネジ部とを有しており、
前記第１取付部材は、前記ネジ部によって前記第１基板に固定されるとともに、前記第１案内部を前記第１長穴に挿通した状態を前記頭部によって保持しており、
前記第２取付部材は、前記ネジ部によって前記第２基板に固定されるとともに、前記第２案内部を前記第２長穴に挿通した状態を前記頭部によって保持している
ことを特徴とする光コネクタシステム。
【請求項４】
請求項３に記載の光コネクタシステムであって、
前記第１案内部の長さは、前記第１長穴における前記第１ハウジングの厚さよりも長く、
前記第２案内部の長さは、前記第２長穴における前記第２ハウジングの厚さよりも長い
ことを特徴とする光コネクタシステム。
【請求項５】
請求項２〜４のいずれかに記載の光コネクタシステムであって、
前記第１ハウジングを前記第１方向から挟むように配置された一対の前記第１取付部材によって、前記第１ハウジングが、前記第１基板に対して前記第１方向に移動可能に取り付けられており、
前記第２ハウジングを前記第２方向から挟むように配置された一対の前記第２取付部材によって、前記第２ハウジングが、前記第２基板に対して前記第２方向に移動可能に取り付けられている
ことを特徴とする光コネクタシステム。
【請求項６】
相手側光コネクタに対して着脱可能であり、基板に取り付けられる光コネクタであって、
フェルールと、
前記フェルールを収容するハウジングと
を備え、
前記ハウジングは、前記基板に対して、所定方向に移動可能に取り付けられており、
前記所定方向は、前記相手側光コネクタとの着脱方向と直交する方向であるとともに、前記相手側光コネクタのハウジングが相手側基板に対して移動可能な方向と直交する方向である
ことを特徴とする光コネクタ。
【発明の詳細な説明】
【技術分野】
【０００１】
本開示は、光コネクタシステム及び光コネクタに関する。
【背景技術】
【０００２】
プラグイン形式の光コネクタとして、いわゆるバックプレーンコネクタが知られている。バックプレーンコネクタでは、プラグインユニットにプリントボードを差し込むことによって、プラグインユニットのバックプレーンに取り付けられた光コネクタと、プリントボードに取り付けられた光コネクタとを接続することになる。例えば特許文献１、２には、このようなバックプレーンコネクタが記載されている。なお、特許文献１には、外部ハウジング及び内部ハウジングを備えた光コネクタの結合機構が記載されている。また、特許文献２には、バックプレーン側の光コネクタをバックプレーンに対して浮動させることによって、光コネクタ同士を嵌合させる際の位置ずれを吸収させることが記載されている。
【先行技術文献】
【特許文献】
【０００３】
【特許文献１】特開平５−４５５４１号公報
【特許文献２】特開平１１−１８３７５３号公報
【発明の概要】
【発明が解決しようとする課題】
【０００４】
特許文献２記載の光コネクタでは、光コネクタの着脱方向に対して垂直なバックプレーンに取付穴が形成されており、バックプレーンハウジングを固定する固定部品と取付穴との間にクリアランスを確保することによって（固定部品の周囲にクリアランスを確保することによって）、着脱方向に対して垂直な２次元方向（２方向）にバックプレーンハウジングが浮動可能に構成されている。但し、バックプレーンの配線スペースなどの制約によって、バックプレーンハウジングを２方向に浮動させるスペースを確保できないことがある。なお、バックプレーンコネクタに限らず、他の光コネクタにおいても、基板に対して光コネクタを２方向に浮動させるスペースを確保できないという問題は生じ得る。
【０００５】
本発明の幾つかの実施形態は、光コネクタを基板に対して２方向に浮動させずに、光コネクタ同士の２方向の相対位置ずれを緩和させることを目的とする。
【課題を解決するための手段】
【０００６】
上記課題を解決するための幾つかの実施形態は、
第１フェルールを収容する第１ハウジングを有し、第１基板に取り付けられた第１光コネクタと、
前記第１フェルールに接続される第２フェルールを収容する第２ハウジングを有し、前記第１基板とは別の第２基板に取り付けられ、着脱方向に沿って前記第１光コネクタに対して着脱可能な第２光コネクタと
を備え、
前記第１基板は、前記着脱方向に平行であるとともに、第１方向に平行であり、
前記第２基板は、前記着脱方向に平行であるとともに、前記第１方向と交差する第２方向に平行であり、
前記第１ハウジングは、前記第１基板に対して前記第１方向に移動可能に取り付けられており、
前記第２ハウジングは、前記第２基板に対して前記第２方向に移動可能に取り付けられている
ことを特徴とする光コネクタシステムである。
【０００７】
その他の特徴については、後述する明細書及び図面の記載により明らかにする。
【発明の効果】
【０００８】
本発明の幾つかの実施形態によれば、光コネクタを基板に対して２方向に浮動させずに、光コネクタ同士の２方向の相対位置ずれを緩和させることができる。
【図面の簡単な説明】
【０００９】
【図１】図１は、第１実施形態の接続前の初期位置の光コネクタシステム１００の斜視図である。
【図２】図２は、第１実施形態の光コネクタシステム１００の分解斜視図である。
【図３】図３Ａ及び図３Ｂは、コネクタ接続時の様子の説明図である。
【図４】図４は、第１実施形態の取付機構（浮動機構）の説明図である。
【図５】図５は、ネジ部材４０の近傍の断面図である。
【図６】図６は、第２実施形態の光コネクタシステム１００の斜視図である。
【発明を実施するための形態】
【００１０】
後述する明細書及び図面の記載から、少なくとも以下の事項が明らかとなる。
【００１１】
第１フェルールを収容する第１ハウジングを有し、第１基板に取り付けられた第１光コネクタと、前記第１フェルールに接続される第２フェルールを収容する第２ハウジングを有し、前記第１基板とは別の第２基板に取り付けられ、着脱方向に沿って前記第１光コネクタに対して着脱可能な第２光コネクタとを備え、前記第１基板は、前記着脱方向に平行であるとともに、第１方向に平行であり、前記第２基板は、前記着脱方向に平行であるとともに、前記第１方向と交差する第２方向に平行であり、前記第１ハウジングは、前記第１基板に対して前記第１方向に移動可能に取り付けられており、前記第２ハウジングは、前記第２基板に対して前記第２方向に移動可能に取り付けられていることを特徴とする光コネクタシステムが明らかとなる。このような光コネクタシステムによれば、光コネクタを基板に対して２方向に浮動させずに、光コネクタ同士の２方向の相対位置ずれを緩和させることができる。
【００１２】
円柱形状の第１案内部を有し、前記第１ハウジングを前記第１基板に取り付けるための第１取付部材と、円柱形状の第２案内部を有し、前記第２ハウジングを前記第２基板に取り付けるための第２取付部材とを備え、前記第１ハウジングは、前記第１方向に長い第１長穴を有しており、前記第２ハウジングは、前記第２方向に長い第２長穴を有しており、前記第１案内部が前記第１長穴に挿通された状態で、前記第１取付部材が前記第１基板に固定されており、前記第２案内部が前記第２長穴に挿通された状態で、前記第２取付部材が前記第２基板に固定されていることが望ましい。これにより、第１ハウジングを第１基板に対して第１方向に案内するとともに、第２ハウジングを第２基板に対して第２方向に案内することができる。
【００１３】
前記第１取付部材は、頭部とネジ部とを有しており、前記第２取付部材は、頭部とネジ部とを有しており、前記第１取付部材は、前記ネジ部によって前記第１基板に固定されるとともに、前記第１案内部を前記第１長穴に挿通した状態を前記頭部によって保持しており、前記第２取付部材は、前記ネジ部によって前記第２基板に固定されるとともに、前記第２案内部を前記第２長穴に挿通した状態を前記頭部によって保持していることが望ましい。これにより、案内部が長穴から抜けることを防止できる。
【００１４】
前記第１案内部の長さは、前記第１長穴における前記第１ハウジングの厚さよりも長く、前記第２案内部の長さは、前記第２長穴における前記第２ハウジングの厚さよりも長いことが望ましい。これにより、第１ハウジングが第１取付部材の頭部によって締め付けられずに済み、第２ハウジングが第２取付部材の頭部によって締め付けられずに済むため、基板に対して移動可能な状態を保持することができる。
【００１５】
前記第１ハウジングを前記第１方向から挟むように配置された一対の前記第１取付部材によって、前記第１ハウジングが、前記第１基板に対して前記第１方向に移動可能に取り付けられており、前記第２ハウジングを前記第２方向から挟むように配置された一対の前記第２取付部材によって、前記第２ハウジングが、前記第２基板に対して前記第２方向に移動可能に取り付けられていることが望ましい。これにより、一対の取付部材の間隔を広くすることができるため、ハウジングを安定的に案内することができる。
【００１６】
相手側光コネクタに対して着脱可能であり、基板に取り付けられる光コネクタであって、フェルールと、前記フェルールを収容するハウジングとを備え、前記ハウジングは、前記基板に対して、所定方向に移動可能に取り付けられており、前記所定方向は、前記相手側光コネクタとの着脱方向と直交する方向であるとともに、前記相手側光コネクタのハウジングが相手側基板に対して移動可能な方向と直交する方向であることを特徴とする光コネクタが明らかとなる。このような光コネクタによれば、光コネクタを基板に対して１方向にしか浮動していないが、光コネクタ同士の２方向の相対位置ずれを緩和させることができる。
【００１７】
＝＝＝第１実施形態＝＝＝
＜光コネクタ３の基本構成＞
図１は、第１実施形態の接続前の初期位置の光コネクタシステム１００の斜視図である。図２は、第１実施形態の光コネクタシステム１００の分解斜視図である。図３Ａ及び図３Ｂは、コネクタ接続時の様子の説明図である。
【００１８】
本実施形態の光コネクタシステム１００は、受け側光コネクタ３Ａ（第１光コネクタ）と、可動側光コネクタ３Ｂ（第２光コネクタ）とを有する。受け側光コネクタ３Ａは、ここではプラグインユニット（不図示）のミドルプレーン１０Ａ（第１基板）に取り付けられている。但し、受け側光コネクタ３Ａを取り付ける基板は、ミドルプレーン１０Ａに限られるものではなく、他の基板（例えばバックプレーン等）でも良い。また、可動側光コネクタ３Ｂは、ここではプラグインユニットのガイド溝（不図示）に沿って挿抜されるプリントボード１０Ｂ（第２基板）に取り付けられている。但し、可動側光コネクタ３Ｂを取り付ける基板は、プリントボード１０Ｂに限られるものではない。
【００１９】
以下の説明では、図１に示すように各方向を定義する。すなわち、コネクタ着脱方向を「Ｚ方向」とする。Ｚ方向のことを「前後方向」と呼び、それぞれの光コネクタ３から見て相手側の光コネクタ３の側を「前」と呼び、逆側を「後」と呼ぶこともある。また、プリントボード１０Ｂの基板面に垂直な方向を「Ｙ方向」とし、Ｙ方向及びＺ方向に垂直な方向を「Ｘ方向」とする。
【００２０】
・受け側光コネクタ３Ａの構成
受け側光コネクタ３Ａは、ミドルプレーン１０Ａ（第１基板）に取り付けられている。ミドルプレーン１０Ａは、ＹＺ平面に平行な基板面を有している。すなわち、ミドルプレーン１０Ａは、コネクタ着脱方向（Ｚ方向）に平行であるとともに、Ｙ方向に平行な基板である。
【００２１】
受け側光コネクタ３Ａは、受け側ハウジング２０Ａ（第１ハウジング）と、フェルール５１（第１フェルール）を備えた光モジュール５０とを有する。後述するように、受け側ハウジング２０Ａは、ミドルプレーン１０Ａに対してＹ方向（第１方向）に移動可能（浮動可能）に取り付けられている。
【００２２】
受け側ハウジング２０Ａは、フェルール５１（光モジュール５０のフェルール５１）を収容するための部材である。受け側ハウジング２０Ａは、外側ハウジング２１Ａと、内側ハウジング２２Ａとを有する。受け側ハウジング２０Ａは、受け側接続機構２３Ａを有しており、外側ハウジング２１Ａ及び内側ハウジング２２Ａには、受け側接続機構２３Ａを構成する部位がそれぞれ形成されている。
【００２３】
外側ハウジング２１Ａは、内側ハウジング２２Ａを収容する部材である。外側ハウジング２１Ａには、複数（ここでは３つ）の内側ハウジング２２ＡがＹ方向に並んで取り付けられている。外側ハウジング２１Ａの前側開口部は、可動側光コネクタ３Ｂの光モジュール５０を挿入するための挿入口となる。外側ハウジング２１Ａの前側開口部には、開閉可能なシャッター２１１が設けられている。
【００２４】
内側ハウジング２２Ａは、光モジュール５０を収容する部材であり、外側ハウジング２１Ａに対して光モジュール５０を取り付けるための部材である。内側ハウジング２２Ａは、光モジュール５０を装着するためのモジュール装着部２２１Ａを有する。内側ハウジング２２Ａは、複数（ここでは３つ）のモジュール装着部２２１Ａを有しており、複数の光モジュール５０をＸ方向に並べて装着可能である。なお、モジュール装着部２２１Ａの内壁面には、フェルール５１の鍔部（フランジ部）と接触してフェルール５１の前抜けを防止するための突起が設けられている。
【００２５】
・可動側光コネクタ３Ｂの構成
可動側光コネクタ３Ｂは、プリントボード１０Ｂ（第２基板）に取り付けられている。プリントボード１０Ｂは、ＸＺ平面に平行な基板面を有している。すなわち、プリントボード１０Ｂは、コネクタ着脱方向（Ｚ方向）に平行であるとともに、Ｘ方向に平行な基板である。プリントボード１０Ｂは、Ｚ方向に沿って移動可能である。可動側光コネクタ３Ｂは、プリントボード１０ＢとともにＺ方向に移動することになる。
【００２６】
可動側光コネクタ３Ｂは、可動側ハウジング２０Ｂ（第２ハウジング）と、フェルール５１を備えた光モジュール５０とを有する。後述するように、可動側ハウジング２０Ｂ（第２ハウジング）は、プリントボード１０Ｂに対してＸ方向（第２方向）に移動可能（浮動可能）に取り付けられている。
【００２７】
可動側ハウジング２０Ｂは、フェルール５１（光モジュール５０のフェルール５１）を収容するための部材である。可動側ハウジング２０Ｂは、外側ハウジング２１Ｂと、内側ハウジング２２Ｂとを有する。可動側ハウジング２０Ｂは、可動側接続機構２３Ｂを有しており、外側ハウジング２１Ｂ及び内側ハウジング２２Ｂには、可動側接続機構２３Ｂを構成する部位がそれぞれ形成されている。
【００２８】
外側ハウジング２１Ｂは、内側ハウジング２２Ｂを収容する部材である。外側ハウジング２１Ｂには、複数（ここでは３つ）の内側ハウジング２２ＢがＹ方向に並んで取り付けられている。外側ハウジング２１Ｂの後部はプリントボード１０Ｂに取り付けられている。外側ハウジング２１Ｂの前側開口部（不図示）は、受け側光コネクタ３Ａの外側ハウジング２１Ａの前部を挿入するための挿入口となる（図３Ａ参照）。
【００２９】
内側ハウジング２２Ｂは、光モジュール５０を収容する部材であり、外側ハウジング２１Ｂに対して光モジュール５０を取り付けるための部材である。内側ハウジング２２Ｂは、光モジュール５０を装着するためのモジュール装着部２２１Ｂを有する。受け側光コネクタ３Ａと同様に、内側ハウジング２２Ｂは、複数（ここでは３つ）のモジュール装着部２２１Ｂを有しており、複数の光モジュール５０をＸ方向に並べて装着可能である。受け側光コネクタ３Ａと同様に、モジュール装着部２２１Ｂの内壁面には、フェルール５１の鍔部（フランジ部）と接触してフェルール５１の前抜けを防止するための突起が設けられている。
【００３０】
・光モジュール５０の構成
光モジュール５０は、光ファイバ（光ファイバテープ、光ケーブル、光コード等を構成する光ファイバを含む）の終端に取り付けられたモジュールである。光モジュール５０は、フェルール５１と、ピンクランプ５２と、スプリング５３と、スプリングプッシュ５４とを有する。フェルール５１は、光ファイバの端部を保持する部材である。フェルール５１の鍔部は、フェルール５１本体の外周面から外側に突出しており、内側ハウジング２２（２２Ａ、２２Ｂ）のモジュール装着部２２１（２２１Ａ、２２１Ｂ）の内壁面に形成された突起（不図示）に接触する。フェルール５１は、前側に押圧された状態で後退可能に内側ハウジング２２（２２Ａ、２２Ｂ）に収容される。具体的には、スプリングプッシュ５４を内側ハウジング２２（２２Ａ、２２Ｂ）に引っ掛けることによって光モジュール５０が取り付けられると、スプリング５３がピンクランプ５２とスプリングプッシュ５４との間で圧縮変形した状態になり、スプリング５３の弾性力によって、フェルール５１が、モジュール装着部２２１（２２１Ａ、２２１Ｂ）の内壁面の突起（不図示）に鍔部を接触させた状態で、前側に押圧された状態になる。
【００３１】
・コネクタ接続時について
図３Ａに示すように、プラグインユニットのガイド溝（不図示）に沿ってプリントボード１０Ｂをミドルプレーン１０Ａに向かって移動させると、受け側ハウジング２０Ａと可動側ハウジング２０Ｂとが接触し、受け側光コネクタ３Ａと可動側光コネクタ３Ｂとの位置合わせが行われる。具体的には、図３Ａに示すように、可動側光コネクタ３Ｂの角筒状の外側ハウジング２１Ｂの内側に受け側ハウジング２０Ａの角筒状の外側ハウジング２１Ａが入り込み、受け側光コネクタ３Ａの外側ハウジング２１Ａの外周面と可動側光コネクタ３Ｂの外側ハウジング２１Ｂの内周面とが接触し、受け側ハウジング２０Ａと可動側ハウジング２０Ｂとが嵌合することによって、可動側光コネクタ３Ｂの外側ハウジング２１ＢとのＸ方向及びＹ方向の相対位置が合わせられることになる。
【００３２】
図３Ａに示す段階では、受け側光コネクタ３Ａのフェルール５１と、可動側光コネクタ３Ｂのフェルール５１とは接触していない。つまり、受け側光コネクタ３Ａのフェルール５１と、可動側光コネクタ３Ｂのフェルール５１との接触前に、受け側ハウジング２０Ａと可動側ハウジング２０Ｂとが嵌合することによって、受け側光コネクタ３Ａと可動側光コネクタ３Ｂとの位置合わせが行われることになる。
【００３３】
図３Ａに示す状態から更にプリントボード１０Ｂをミドルプレーン１０Ａに向かって移動させると、図３Ｂに示すように、受け側接続機構２３Ａと可動側接続機構２３Ｂとが接続する。このとき、受け側光コネクタ３Ａのフェルール５１の位置決めピンが可動側光コネクタ３Ｂのフェルール５１の位置決め穴（不図示）に嵌合することによってフェルール５１同士の位置合わせが行われ、フェルール５１の端面同士が突き合わせられる。
【００３４】
ところで、受け側光コネクタ３Ａのフェルール５１の位置決めピンに可動側光コネクタ３Ｂのフェルール５１の位置決め穴（不図示）を嵌合させるためには、予めフェルール５１同士の相対位置を高精度（例えばＸＹ方向の位置ずれが約０．４ｍｍ以下の範囲）にする必要がある。一方、図１に示す初期段階からフェルール５１同士の相対位置が高精度になるように受け側光コネクタ３Ａや可動側光コネクタ３Ｂを作り込むことは困難である。そこで、本実施形態では、フェルール５１同士の接触前に受け側ハウジング２０Ａと可動側ハウジング２０Ｂとを嵌合させることによって、初期段階のフェルール５１同士の相対位置のズレを緩和させている。これにより、図１の初期段階では、受け側光コネクタ３Ａと可動側光コネクタ３Ｂとの相対的な位置ずれ（Ｘ方向及びＹ方向の位置ずれ）は、約２ｍｍ程度まで許容されている。
【００３５】
＜浮動機構について＞
本実施形態では、図３Ａに示すように、受け側ハウジング２０Ａは、ミドルプレーン１０Ａに対してＹ方向に移動可能（浮動可能）に構成されているとともに、可動側ハウジング２０Ｂは、プリントボード１０Ｂに対してＸ方向に移動可能（浮動可能）に構成されている。これにより、受け側ハウジング２０Ａ及び可動側ハウジング２０ＢがＸＹ方向（コネクタ着脱方向であるＺ方向に垂直な２方向）に相対的に移動可能（浮動可能）になる。このため、受け側ハウジング２０Ａと可動側ハウジング２０Ｂとの嵌合時に、初期段階のフェルール５１同士の相対位置ずれを緩和することができる。
【００３６】
図４は、第１実施形態の取付機構（浮動機構）の説明図である。図５は、ネジ部材４０の近傍の断面図である。
【００３７】
ミドルプレーン１０Ａには、一対の丸穴１１Ａが形成されている。また、受け側ハウジング２０Ａには、一対の長穴２０１Ａ（第１長穴）が形成されている。そして、丸穴１１Ａ及び長穴２０１Ａにネジ部材４０Ａが挿通されており、ミドルプレーン１０Ａの裏面でネジ部材４０Ａにナットが締結されている。これにより、ネジ部材４０Ａの頭部４３とナットとの間にミドルプレーン１０Ａと受け側ハウジング２０Ａとが挟み込まれることによって、ミドルプレーン１０Ａに対して受け側ハウジング２０Ａが取り付けられている。同様に、ネジ部材４０Ｂの頭部４３とナットとの間にプリントボード１０Ｂと可動側ハウジング２０Ｂとが挟み込まれることによって、プリントボード１０Ｂに対して可動側ハウジング２０Ｂが取り付けられている。
【００３８】
ネジ部材４０（４０Ａ、４０Ｂ）は、ハウジング２０（受け側ハウジング２０Ａや可動側ハウジング２０Ｂ）を基板１０に取り付けるための取付部材である。ネジ部材４０は、案内部４１と、雄ネジ部４２と、頭部４３とを有する。ネジ部材４０の端部には雄ネジ部４２と頭部４３が形成されている。
【００３９】
案内部４１は、頭部４３と雄ネジ部４２との間の円柱形状の部位であり、受け側ハウジング２０Ａや可動側ハウジング２０Ｂを案内するための部位である。案内部４１は、長穴２０１（２０１Ａ、２０１Ｂ）に挿通されており、長穴２０１の長手方向に沿って受け側ハウジング２０Ａや可動側ハウジング２０Ｂを案内する。案内部４１の直径は、雄ネジ部４２の直径よりも太い。このため、案内部４１と雄ネジ部４２との間には段差部（案内部４１の底面４４）が形成されている。
【００４０】
雄ネジ部４２は、基板１０（ミドルプレーン１０Ａやプリントボード１０Ｂ）に対してネジ部材４０を固定するための部位（ネジ部）である。雄ネジ部４２にナットを締結すると、案内部４１の底面４４（案内部４１と雄ネジ部４２との段差面）とナットとの間に基板１０が挟み込まれ、これにより、基板１０（ミドルプレーン１０Ａやプリントボード１０Ｂ）に対してネジ部材４０が固定される（図５参照）。なお、ネジ部材４０が、雄ネジ部４２の代わりに雌ネジ部を有しても良い。
【００４１】
頭部４３は、ネジ部材４０の端部に設けられ、案内部４１の直径よりも太い部位である。頭部４３は、丸穴１１の直径や長穴２０１の幅（長穴２０１の短径方向の寸法）よりも太い部位である。これにより、頭部４３によって、案内部４１が長穴２０１から抜けることを防止することができ、案内部４１を長穴２０１に挿通した状態を保持することができる。
【００４２】
丸穴１１（１１Ａ、１１Ｂ）は、基板１０（ミドルプレーン１０Ａやプリントボード１０Ｂ）に形成された円形状の貫通穴であり、ネジ部材４０の雄ネジ部４２を挿通させるための穴である。丸穴１１Ａにネジ部材４０Ａの雄ネジ部４２を挿通させると、ミドルプレーン１０Ａの裏面から雄ネジ部４２が突出し、ミドルプレーン１０Ａの裏面で雄ネジ部４２にナットを締結させることができる。丸穴１１の直径は、ネジ部材４０の案内部４１の直径よりも小さい。このため、雄ネジ部４２にナットを締結すると、案内部４１の底面４４（案内部４１と雄ネジ部４２との段差面）とナットとの間でミドルプレーン１０Ａが締め付けられ、これにより、ミドルプレーン１０Ａに対してネジ部材４０Ａが固定される。同様に、プリントボード１０Ｂにも、一対の丸穴１１Ｂが形成されており、丸穴１１Ｂに挿通した雄ネジ部４２にナットを締結すると、案内部４１の底面４４（案内部４１と雄ネジ部４２との段差面）とナットとの間でプリントボード１０Ｂが締め付けられ、これにより、プリントボード１０Ｂに対してネジ部材４０Ｂが固定される。
【００４３】
長穴２０１（２０１Ａ、２０１Ｂ）は、ハウジング２０（受け側ハウジング２０Ａや可動側ハウジング２０Ｂ）に形成された長い開口の貫通穴であり、ハウジング２０を移動方向に案内するための穴である。長穴２０１には、ネジ部材４０の案内部４１が挿通されている。受け側ハウジング２０Ａの長穴２０１Ａ（第１長穴）は、Ｙ方向に沿って長く形成されている。このため、Ｙ方向に長い長穴２０１Ａによって、受け側ハウジング２０ＡがＹ方向に移動可能になる。可動側ハウジング２０Ｂにも、一対の長穴２０１Ｂ（第２長穴）が形成されている。可動側ハウジング２０Ｂの長穴２０１Ｂは、Ｘ方向に長く形成されている。Ｘ方向に長い長穴２０１Ｂによって、可動側ハウジングがＸ方向に移動可能になる。なお、受け側ハウジング２０Ａの長穴２０１Ａの長手方向はＹ方向であるのに対し、可動側ハウジング２０Ｂの長穴２０１Ｂの長手方向はＸ方向である。
【００４４】
長穴２０１の幅（短径方向の寸法）は、ネジ部材４０の案内部４１の直径とほぼ同じであり、ここでは約５ｍｍである。長穴２０１の幅が案内部４１の直径とほぼ同じであるため、長穴２０１の幅方向への移動が規制される。これに対し、長穴２０１の長手方向の長さ（長径方向の寸法）は、ネジ部材４０の案内部４１の直径よりも長く、ここでは約７ｍｍである。このため、図５に示すように、長穴２０１の長手方向において長穴２０１と案内部４１との間に隙間が形成される。この隙間の分だけ受け側ハウジング２０Ａがミドルプレーン１０Ａに対して移動可能になるとともに、可動側ハウジング２０Ｂがプリントボード１０Ｂに対して移動可能になる。ここでは、受け側ハウジング２０Ａがミドルプレーン１０Ａに対してＹ方向に約２ｍｍの範囲で移動可能である。同様に、可動側ハウジング２０Ｂは、プリントボード１０Ｂに対してＸ方向に約２ｍｍの範囲で移動可能になる。
【００４５】
案内部４１の長さは、ハウジング２０（受け側ハウジング２０Ａや可動側ハウジング２０Ｂ）の肉厚より若干長い。言い換えると、ネジ部材４０の頭部４３の底面と案内部４１の底面４４（案内部４１と雄ネジ部４２との段差面）との間の寸法は、ハウジング２０（受け側ハウジング２０Ａや可動側ハウジング２０Ｂ）の肉厚より若干長い。このため、雄ネジ部４２にナットを締結しても、ハウジング２０がネジ部材４０の頭部４３に締め付けられずに済む。これにより、ハウジング２０（受け側ハウジング２０Ａや可動側ハウジング２０Ｂ）は、ネジ部材４０に対して、若しくは基板１０（ミドルプレーン１０Ａ（又はプリントボード１０Ｂ）に対して、移動可能になる。
【００４６】
上記の第１実施形態の光コネクタシステム１００によれば、受け側ハウジング２０Ａは、ミドルプレーン１０Ａに対してＹ方向に移動可能に取り付けられているとともに、可動側ハウジング２０Ｂは、プリントボード１０Ｂに対してＸ方向に移動可能に取り付けられている。これにより、それぞれのハウジング２０は基板１０に対して１方向のみにしか移動できないにも関わらず、受け側ハウジング２０Ａ及び可動側ハウジング２０ＢがＸＹ方向（コネクタ着脱方向であるＺ方向に垂直な２方向）に相対的に移動可能（浮動可能）になる。
【００４７】
＝＝＝第２実施形態＝＝＝
図６は、第２実施形態の光コネクタシステム１００の斜視図である。第２実施形態の光コネクタシステム１００は、第１実施形態と同様に、受け側光コネクタ３Ａ（第１光コネクタ）と可動側光コネクタ３Ｂ（第２光コネクタ）とを備える。受け側光コネクタ３Ａは、フェルール５１を収容する受け側ハウジング２０Ａ（第１ハウジング）を有し、ミドルプレーン１０Ａ（第１基板）に取り付けられている。可動側光コネクタ３Ｂは、フェルール５１を収容する可動側ハウジング２０Ｂを有し、プリントボード１０Ｂに取り付けられている。また、第２実施形態においても、ミドルプレーン１０Ａは、Ｚ方向（着脱方向）及びＹ方向（第１方向）に平行であり、プリントボード１０Ｂは、Ｚ方向及びＸ方向（第２方向）に平行である。
【００４８】
第２実施形態においても、第１実施形態と同様に、受け側ハウジング２０Ａは、ミドルプレーン１０Ａに対してＹ方向に移動可能（浮動可能）に構成されているとともに、可動側ハウジング２０Ｂは、プリントボード１０Ｂに対してＸ方向に移動可能（浮動可能）に構成されている。これにより、受け側ハウジング２０Ａ及び可動側ハウジング２０ＢがＸＹ方向（コネクタ着脱方向であるＺ方向に垂直な２方向）に相対的に移動可能（浮動可能）になる。
【００４９】
また、第２実施形態においても、取付部材であるネジ部材４０は、円柱形状の案内部４１（図６では不図示）を有しており、受け側ハウジング２０ＡはＹ方向に長い長穴２０１Ａ（図６では不図示）を有しており、可動側ハウジング２０ＢはＸ方向に長い長穴２０１Ｂ（図６では不図示）を有しており、案内部４１が長穴２０１に挿通された状態で、ネジ部材４０（取付部材）がミドルプレーン１０Ａやプリントボード１０Ｂに固定されている。これにより、案内部４１及び長穴２０１によって受け側ハウジング２０Ａや可動側ハウジング２０Ｂを所定方向に案内できる。
【００５０】
第２実施形態では、第１実施形態とは異なり、一対のネジ部材４０Ａ（第１取付部材）が、受け側ハウジング２０Ａ（第１ハウジング）をＹ方向から挟むように配置されている。そして、受け側ハウジング２０Ａは、Ｙ方向から受け側ハウジング２０Ａを挟むように配置された一対のネジ部材４０Ａによって、ミドルプレーン１０Ａ（第１基板）に対してＹ方向（第１方向）に移動可能に取り付けられている。これにより、第２実施形態では、一対の長穴２０１Ａの間隔を広くすることができるため、受け側ハウジング２０Ａを安定的にＹ方向に案内することができる。また、第１実施形態のように受け側光コネクタ３Ａの後側にネジ部材４０Ａを配置した場合には、ネジ部材４０Ａと長穴２０１Ａとの遊び（隙間）によって受け側光コネクタ３ＡがＺ軸に対して傾きやすくなってしまうのに対し、第２実施形態では、受け側光コネクタ３Ａの傾きを抑制することができる。また、第２実施形態では、ミドルプレーン１０Ａの配線可能な面を広くすることができるという利点もある。
【００５１】
同様に、第２実施形態では、一対のネジ部材４０Ｂ（第２取付部材）が、可動側ハウジング２０Ｂ（第２ハウジング）をＸ方向から挟むように配置されている。そして、可動側ハウジング２０Ｂは、Ｘ方向から可動側ハウジング２０Ｂを挟むように配置された一対のネジ部材４０Ｂによって、プリントボード１０Ｂ（第２基板）に対してＸ方向（第２方向）に移動可能に取り付けられている。これにより、受け側ハウジング２０Ａと同様に、一対の長穴２０１Ｂの間隔を広くすることができるため、可動側ハウジング２０Ｂを安定的にＸ方向に案内することができる。また、可動側光コネクタ３ＢのＺ軸に対する傾きを抑制することができるとともに、プリントボード１０Ｂの配線可能な面を広くすることができるという利点もある。
【００５２】
＝＝＝別の実施形態＝＝＝
上記の実施形態の光コネクタシステム１００は、ミドルプレーン１０Ａに取り付けられた受け側光コネクタ３Ａと、プリントボード１０Ｂに取り付けられた可動側光コネクタ３Ｂとを備えている。但し、光コネクタシステムを構成する２つの光コネクタ（第１光コネクタ及び第２光コネクタ）は、前述の受け側光コネクタ３Ａや可動側光コネクタ３Ｂに限られるものではなく、他の光コネクタであっても良い。また、光コネクタを取り付ける基板（第１基板及び第２基板）は、ミドルプレーン１０Ａやプリントボード１０Ｂに限られるものではなく、他の基板でも良い。但し、光コネクタシステムが、第１基板に取り付けられた第１光コネクタと、第２基板に取り付けられた第２光コネクタとを備えており、第１基板がＺ方向（着脱方向）及び第１方向（例えばＹ方向）に平行であり、第２基板がＺ方向及び第２方向（例えばＸ方向）に平行である場合には、第１光コネクタの第１ハウジングを第１基板に対して第１方向に移動可能に取り付けるとともに、第２光コネクタの第２ハウジングを第２基板に対して第２方向に移動可能に取り付けることが望ましい。これにより、それぞれのハウジングが基板に対して１方向のみにしか移動できないにも関わらず、第１ハウジング及び第２ハウジングがコネクタ着脱方向に垂直な２方向に相対的に移動可能（浮動可能）になる。
【００５３】
また、上記の実施形態では、円柱形状の案内部４１を長穴２０１に挿通させることによって、ハウジング２０（受け側ハウジング２０Ａ及び可動側ハウジング２０Ｂ）を長穴２０１の長手方向に沿って案内していた。但し、光コネクタのハウジングを別の方法で移動方向に案内しても良い。
【００５４】
また、上記の実施形態では、ハウジング２０（受け側ハウジング２０Ａ及び可動側ハウジング２０Ｂ）を基板１０に取り付ける取付部材がネジ部材４０であり、取付部材がネジ留めされることによって基板１０に固定されていた。但し、取付部材はネジ部材４０に限られるものではなく、取付部材がネジ留め以外の方法で基板１０に固定されても良い。このような場合であっても、案内部４１を長穴２０１に挿通させた状態を保持できれば、ハウジング２０（受け側ハウジング２０Ａ及び可動側ハウジング２０Ｂ）を長穴２０１の長手方向に沿って案内することが可能である。
【００５５】
＝＝＝小括＝＝＝
上記の幾つかの実施形態によれば、光コネクタシステムは、第１基板（例えばミドルプレーン１０Ａ）に取り付けられた第１光コネクタ（例えば受け側光コネクタ３Ａ）と、第２基板（例えばプリントボード１０Ｂ）に取り付けられた第２光コネクタ（例えば可動側光コネクタ３Ｂ）とを備えており、第１基板は、着脱方向（Ｚ方向）及び第１方向（例えばＹ方向）に平行であり、第２基板は、着脱方向及び第２方向（例えばＸ方向）に平行である。このような状況下において、上記の幾つかの実施形態では、第１光コネクタの第１ハウジング（例えば受け側ハウジング２０Ａ）が、第１基板に対して第１方向（例えばＹ方向）に移動可能に取り付けられており、第２光コネクタの第２ハウジング（例えば可動側ハウジング２０Ｂ）が、第２基板に対して第２方向（例えばＸ方向）に移動可能に取り付けられている。これにより、第１ハウジング及び第２ハウジングが着脱方向に垂直な２方向（ＸＹ方向）に相対的に移動可能（浮動可能）になるため、第１ハウジングと第２ハウジングとの嵌合時に初期段階のフェルール同士（第１ハウジングに収容された第１フェルールと、第２ハウジングに収容された第２フェルール）の相対位置ずれを緩和することができる。
【００５６】
また、上記の幾つかの実施形態によれば、第１ハウジング（例えば受け側ハウジング２０Ａ）を第１基板（例えばミドルプレーン１０Ａ）に取り付けるための第１取付部材（例えばネジ部材４０Ａ）と、第２ハウジング（例えば可動側ハウジング２０Ｂ）を第２基板（例えばプリントボード１０Ｂ）に取り付けるための第２取付部材（例えばネジ部材４０Ｂ）とを備えている。そして、第１ハウジングは第１方向（例えばＹ方向）に長い長穴２０１Ａを有しており、この長穴２０１Ａに取付部材の案内部４１を挿通させた状態で、取付部材が第１基板に取り付けられている。また、第２ハウジングは第２方向（例えばＸ方向）に長い長穴２０１Ｂを有しており、この長穴２０１Ｂに取付部材の案内部４１を挿通させた状態で、取付部材が第２基板に取り付けられている。このような構成により、第１ハウジングを第１基板に対して第１方向に案内するとともに、第２ハウジングを第２基板に対して第２方向に案内することができるため、第１ハウジング及び第２ハウジングが着脱方向に垂直な２方向（ＸＹ方向）に相対的に移動可能（浮動可能）にすることができる。
【００５７】
また、上記の幾つかの実施形態によれば、一方の光コネクタ（例えば受け側光コネクタ３Ａ）は、相手側光コネクタ（例えば可動側光コネクタ３Ｂ）に対して着脱可能であり、基板（例えばミドルプレーン１０Ａ）に取り付けられており、フェルールとハウジングとを備えている。そして、ハウジング（例えば受け側ハウジング２０Ａ）は、基板（ミドルプレーン１０Ａ）に対して移動可能に取り付けられており、この移動可能な方向は、相手側光コネクタとの着脱方向（Ｚ方向）と直交する方向（ＸＹ方向）であるとともに、相手側光コネクタのハウジング（例えば可動側ハウジング２０Ｂ）が相手側基板（プリントボード２）に対して移動可能な方向（Ｘ方向）と直交する方向（Ｙ方向）である。これにより、ハウジングが、相手側光コネクタのハウジングに対して、着脱方向に垂直な２方向（ＸＹ方向）に相対的に移動可能（浮動可能）になるため、ハウジング嵌合時に、初期段階のフェルール同士の相対位置ずれを緩和することができる。
【００５８】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５９】
３  光コネクタ
３Ａ  受け側光コネクタ（第１光コネクタ）、
３Ｂ  可動側光コネクタ（第２光コネクタ）、
１０  基板
１０Ａ  ミドルプレーン（第１基板）、
１０Ｂ  プリントボード（第２基板）、
１１  丸穴、１１Ａ  丸穴（第１丸穴）、１１Ｂ  丸穴（第２丸穴）、
２０  ハウジング、
２０Ａ  受け側ハウジング（第１ハウジング）、
２０Ｂ  可動側ハウジング（第２ハウジング）、
２０１  長穴、２０１Ａ  長穴（第１長穴）、２０１Ｂ  長穴（第２長穴）
２１  外側ハウジング、２１１  シャッター、
２２  内側ハウジング、２２１  モジュール装着部、
２３  接続機構、
４０  ネジ部材（取付部材）、
４０Ａ  ネジ部材（第１取付部材）、
４０Ｂ  ネジ部材（第２取付部材）、
４１  案内部、
４２  雄ネジ部（ネジ部）、
４３  頭部、
４４  底面（案内部と雄ネジ部との段差面）、
５０  光モジュール、
５１  フェルール、５２  ピンクランプ、
５３  スプリング、５４  スプリングプッシュ、
１００  光コネクタシステム
【図１】
2017134311.tif 000003
【図２】
2017134311.tif 000004
【図３】
2017134311.tif 000005
【図４】
2017134311.tif 000006
【図５】
2017134311.tif 000007
【図６】
2017134311.tif 000008